(57)【要約】  本発明は、コンピュータなどの機材に与えられているＭＡＣアドレス体系（M-）およびＩＳＤＮなどの固定電話用に振られているソケットアドレス体系（P-）を融合させる方法である。アドレスの例として、Ｍ,Ｐ,Ｑ,Ｔに続く“１・０・Ｚ”で作られた４桁ビット列を示す。  Ｍは機材に与えられた３値のアドレスであり、Ｐはソケットに振られた２値のアドレスである。ユーザが機材をソケットに接続したとき、Ｑ＝[Ｍ choice Ｐ]の演算がなされ、２値の新ノードアドレスＱが作成される。  ３値の宛先アドレスT-0ZZ1のアクセスによって、31はsign＝[Ｑ mask Ｔ]  の判断をし“機材未接続で通過”“合致”“非合致”の処理をする。【特許請求の範囲】
【請求項１】
ネットワークに接続するノードを区別するアドレスに関し、
３値“１・０・Ｚ”で構成されたｎ桁の機材番号と、
２値“１・０”で構成されたｎ桁の場所番号において、
各々の番号の桁の１ビットについての合成方法として、
機材番号が“１”であるならば“１”に、
機材番号が“０”であるならば“０”に、
機材番号が“Ｚ”であり場所番号が“１”であるならば“１”に、
機材番号が“Ｚ”であり場所番号が“０”であるならば“０”に、
することで、
２値“１・０”で構成されたｎ桁のノードアドレスを作成する方法。
【請求項２】
請求項１の構成要素である３値“１・０・Ｚ”で構成されたｎ桁の機材番号を有する機器。
【請求項３】
メッセージがノードにアクセスすることに関し、
３値“１・０・Ｚ”で構成されたｎ桁の宛先アドレスと
２値“１・０”で構成されたｎ桁の受信ノードアドレスにおいて、
各々のアドレスの同一桁の１ビットについての合致判断として、
宛先アドレスが“１”で受信ノードアドレスが“１”ならば合致とし、
宛先アドレスが“０”で受信ノードアドレスが“０”ならば合致とし、
宛先アドレスが“Ｚ”ならば合致とし、
すべてのｎ桁において合致したならば、
宛先アドレスと受信ノードアドレスが合致したと判断する方法。
【発明の詳細な説明】
【技術分野】
【０００１】
この発明は、３ステートｎ桁で構成されるデジタルアドレスによるアクセスを可能にするネットワークシステムに関する。
【背景技術】
【０００２】
ユーザが関与する人間系ネットワークにおいては、接続するノードやユーザを区別するために、公衆電話番号やＩＰアドレスなどネットワーク媒体に付属する場所依存型番号、メールアドレスやＩＤなど利用者に割り振られる物体依存型番号が存在する。これらのアドレスは一つのネットワーク内において只一つのユニーク性を持たせる体系である。しかし、１台のＰＣ(personal computer)を一つのノードとしても、現状は、アプリケーション毎に異なるＩＤ体系とする異なるネットワークを構築している。すなわち、任意の一つのノードは、属しているネットワーク数と同数の異なるアドレスを有していると把握される。【０００３】
産業機械が関与する機械系ネットワークにおいては、同一機械を複数の制御系からアクセスされないようにするため、複数のネットワークに属することを許していない。よって、機械系ネットワークでの自由性は、一つの宛先アドレスで複数ノードへアクセス可能にさせなければ高まらない。実現できれば宛先アドレスを作成するユーザの意思を機材に伝達させる自由性を保証することになる。【０００４】
最後に、本発明を利用することが可能なネットワークの条件としては、同一アドレスを有するノードが多数存在していても、データ競合回避機構を有する必要がある。例としては、IEEE802.3の他に、国際公開特許WO01/11829「トークンによる調停回路を有するコンピュータ用ネットワーク (日本国特許3610559) 」が挙げられる。
【発明の開示】
【０００５】
本発明は、同一アドレスを持つノードが多数存在しても、ノードの物理アドレスが変化しても、データ競合回避機構に影響を及ぼさない機構を有するネットワークにおけるアドレス体系に関するものである。この発明の中核をなす考案は、３ステートｎ桁で構成されるデジタルアドレスによるアクセスである。
【０００６】
一般に、ソフトウェアにおいては１ビットの状態を２値“１・０”で示す。しかし、ハードウェアにおいては１ビットの出力値として３値“Ｈレベル・Ｌレベル・Ｚレベル”として把握するのが一般的である。
【０００７】
関与アドレスの１ビット状態は、３値“１・０・Ｚ”または２値“１・０”を区別して示す必要がある。しかし、シリアル・パラレルの区別は不必要である。
【０００８】
本発明は３ステートｎ桁で構成されるデジタルアドレスによるアクセスであり、第１段階及び第２段階に分けて説明する。
【０００９】
第１段階の発明は、ユーザが家電品や住宅設備機器などの機材が接続されている情報プラグを壁ソケットに挿し込んだならば、機材の種類や性質を示す機材番号と壁ソケットの存在位置を示す場所番号の合成によって新しいアドレスを持つノードを自動生成する方法である。
【００１０】
情報プラグは、ユーザ機材ユニットの付属物で、３値“１・０・Ｚ”で構成されるｎ桁の機材番号を有する。
【００１１】
壁ソケットは、データ転送ユニットの付属物で、２値“１・０”で構成されるｎ桁の場所番号を有する。
【００１２】
情報プラグを壁ソケットに挿し込んだならば、ユーザ機材ユニットとデータ転送ユニットの合体によって新ノードが作成される。したがって、ユーザ機材ユニットが発するメッセージはデータ転送ユニットを介してネットワークによって運ばれ、新ノードを構成する任意のユーザ機材ユニットに届けられる。
【００１３】
新ノードのアドレスは、３値“１・０・Ｚ”の機材番号と２値“１・０”の場所番号の同桁の１ビット演算により、２値“１・０”で構成されるｎ桁が作られる。次に１ビットに関する演算を示す。
【００１４】
機材番号が“１”であるならば“１”にし、
機材番号が“０”であるならば“０”にし、
機材番号が“Ｚ”であり場所番号が“１”であるならば“１”にし、
機材番号が“Ｚ”であり場所番号が“０”であるならば“０”にする。
【００１５】
以下、従来のアドレスとの関係について補足説明をする。
【００１６】
もし、３値“１・０・Ｚ”で構成されるｎ桁の機材番号がすべて“Ｚ”だけで構成されているならば、新しいノードは場所番号と同じになる。この考え方の基礎は機材に番号を与えずポート番号だけが存在する状態である。例として、固定電話機は“Ｚ”だけで構成されている機材でソケットアドレス体系に属する。
【００１７】
また、もし、３値“１・０・Ｚ”で構成されるｎ桁の機材番号が“１・０”だけで構成されているならば、新しいノードは機材番号と同じになる。すなわち、ＬＡＮカードにアドレスを与えるがハブに属するソケットにアドレスを与えない形態であり、現存のＭＡＣ(medium access control) アドレス体系になる。
【００１８】
第２段階の発明はノードが行なうメッセージの転送処理に関するものである。データ転送ユニットは、宛先アドレスと受信ノードアドレスの合致を判断し、合致したならば壁ソケット及び情報プラグを通してユーザ機材ユニットにメッセージを伝達する。
【００１９】
本発明の宛先アドレスは３値“１・０・Ｚ”で構成されるｎ桁であり、受信ノードアドレスは第１段階で作成された２値“１・０”で構成されるｎ桁である。
【００２０】
アドレスの合致判断は、宛先アドレスと受信ノードアドレスの各桁の１ビットについて合致判断をし、全ｎ桁について合致した場合に、受信ノードはメッセージを受け取る。１ビットについての合致判断基準を示す。
【００２１】
宛先アドレスが“１”で受信ノードアドレスが“１”ならば合致とし、
宛先アドレスが“０”で受信ノードアドレスが“０”ならば合致とし、
宛先アドレスが“Ｚ”ならば合致とする。
【００２２】
以下、従来の宛先アドレスとメッセージ受信の関係について補足説明をする。
【００２３】
もし、宛先アドレスに“Ｚ”が含まれない場合は、従来のユニキャストの通信であり、単一の宛先アドレスが単数のノードにアクセスする。なお、マルチキャストは、単一宛先アドレスを複数個記載することで該当するノードにアクセスする形式であり、宛先アドレス記載数が複数であることを明確にしておく。
【００２４】
また、もし、宛先アドレスに“１・０”を含まず“Ｚ”だけの場合は、すべてのノードがメッセージを受信するブロードキャストチャネルになる。この場合、ネットワーク媒体はメッセージを機材に伝達するが、機材自身がユーザが指定するＩＤ番号との合致判断を行なうことで、メッセージをユーザに伝達させるか否かを行なっている。
【００２５】
本発明の最大の効果は、ＩＳＤＮ(Integrated Services Digital Network)の伝送路にアドレスが振られている場所区分によるソケットアドレス体系、及び、ＰＣなどの特定機材に特定アドレスを与えるているＭＡＣアドレス体系が一つのアドレス体系で表現できることである。したがって、性質と場所の両区分の特質に応じて自由に加重可能なノードアドレスが作成され制御や情報収集が簡素になる。
【図面の簡単な説明】
【００２６】
【図１】図１はパラレル形式における３ステートデジタル合成回路例である。
【図２】図２はシリアル形式における３ステートデジタル信号伝達例である。
【図３】図３はローカルエリアネットワーク構築例である。
【図４】図４はワイドエリアネットワーク構築例である。  10:ダンパー抵抗        11:パラレル電路  21:ユーザ機材ユニット  22:21のプラグ          31:データ転送ユニット  32:31の壁ソケット      41:31の相互接続伝送路  51:22と32の接続路  61:上層ＬＡＮ          71,72:中層ＬＡＮ       81:下層ＬＡＮ  Q-****:新ノードアドレス    T-0ZZ1:宛先アドレス例
【発明を実施するための最良の形態】
【００２７】
図１は、本発明の第１段階の実施例で、ハードウェアにおけるパラレル形式のアドレス合成回路である。【００２８】
図１における三角形は信号バッファ回路のシンボル図である。ｉを0,1,…ｎの代表にして実施回路を説明し、アドレス合成するための処置動作を解説する。【００２９】
Ｍｉは各々家電品や住宅設備機器などの機材番号の第ｉ番目を示し、１ビット出力値は３値“Ｈレベル・Ｌレベル・Ｚレベル”の何れかである。Ｐｉはデータ転送ユニットの存在位置を示す場所番号の第ｉ番目を示す。なお、Ｐｉの１ビット出力値は２値“Ｈレベル・Ｌレベル”であるが、Ｐｉの出力を電路11に接続または非接続の制御を行なうために“Ｃ”端子を設ける。Ｑｉは合成によって得られる新しいアドレスの第ｉ番目を示す。【００３０】
ＭｉとＰｉの出力同士がダンパー抵抗10を介し、パラレル電路11によって対向して接続され、Ｑｉによって電路11の電圧を認知する。
電路11に電圧として現われる新しい合成アドレスを値を得るタイミングは、“Ｃ”によってＰｉの出力を電路11に送出させ安定状態になったのち、“Ｃ”によってＰｉの出力を高インピーダンス状態にして、Ｑｉによって認知する。【００３１】
詳細に解説する。【００３２】
もし、Ｍｉが“Ｈレベル”または“Ｌレベル”の低インピーダンス出力で、かつ、Ｐｉが“Ｈレベル”または“Ｌレベル”であるとき、“Ｃ”によって全Ｐｉの出力を“Ｚレベル”の高インピーダンスにすることで、電路11がＭｉ出力の低インピーダンスに引かれ、Ｑｉに“Ｈレベル”または“Ｌレベル”が伝達される。【００３３】
Ｍｉが“Ｚレベル”である場合、Ｐｉが“Ｈレベル”または“Ｌレベル”に接続されたならば、パラレル電路11は“Ｈレベル”または“Ｌレベル”に充満される。ここで“Ｃ”によって全Ｐｉの出力を非接続の“Ｚレベル”にしたならば、電路11は高インピーダンスになり、“Ｈレベル”または“Ｌレベル”が、電路11の時定数に応じて暫く保持される。したがって、Ｍｉが“Ｚレベル”ならば、Ｐｉの出力値である“Ｈレベル”または“Ｌレベル”がＱｉによって検出される。【００３４】
以上により、図１のパラレル回路において、“Ｈレベル・Ｌレベル・Ｚレベル”を“１・０・Ｚ”に対応させれば、本発明の第１段階である２値“１・０”で構成されたｎ桁の新しいノードアドレスが作成される。【００３５】
図２は、シリアル形式における３ステートデジタル伝達例である。３ステート符号化の横軸は時間軸であり、縦軸は電圧や電流などの正負の伝達可能な電気量にすれば、正量を“１”、負量を“０”、中性量を“Ｚ”に対比させることで、３ステートデジタル伝達が可能になる。【００３６】
図２のような振幅変調の他、周波数変調、位相変調などが、シリアル形式によるデジタル伝達として知られてる。周波数変調の場合は“１・０・Ｚ”に対応させた３つの周波数を用いて変調すれば、３ステートデジタル伝達が可能である。位相変調の場合は“１・０・Ｚ”に対応させた３つの位相を0、120、240度にすることにより３ステートデジタル伝達が可能になる。もちろん、振幅変調と位相変調を組み合わせたＱＡＭ(quadrature amplitude moduration)を使うならば、従来の技術であるが、ボーレートを上昇させる効果がある。【００３７】
以上は、物理的なシリアル形式における３ステートデジタル伝達を作成する方法である。もし、物理的にシリアル形式における２ステートデジタル伝達しか許されない場合には、１ビットの“１・０・Ｚ”を伝達させる方法として、従来の８ビットのキャラクタコード作成に習い、２ビットを使い“１１, ００, １０”または“１１, ００, ０１”などにすれば良い。【００３８】
したがって、２値“１・０”の伝達であっても、ＰＵ(processing unit)を利用することで３値“１・０・Ｚ”の伝達に見做させる方法は容易な技術である。【００３９】
図３は従来のＬＡＮ(local aria network)に本発明を施した例である。基本となるＬＡＮは、データ転送ユニット31を伝送路41で接続したデータ競合回避機構を有するネットワークを利用する。したがって、同一アドレスを有するノードやデータ転送ユニット31が複数個存在しても実現可能である。【００４０】
第１段階の発明の主要部分は合成演算である。【００４１】
機材番号Mが“1”であるならば“1”にし、
機材番号Mが“0”であるならば“0”にし、
機材番号Mが“Z”であり場所番号Pが“1”であるならば“1”にし、
機材番号Mが“Z”であり場所番号Pが“0”であるならば“0”にする。【００４２】
上記の演算を Q=[M choice P] にて表記させることで、以後の説明を簡素にする。演算[M choice P] は、同じ桁におけるビットについてMが“1”又は“0”ならばMの値を選びMが“Z”ならばPの値を選ぶこと、と定義する。【００４３】
家電品や住宅設備機器などのユーザ機材ユニット21が繋がったネットワークを構築するには、21に付属する情報プラグ22を31に付属する壁ソケット32に挿し込み接続路51を確保する。【００４４】
21や31のユニット番号の桁数は、同数であれば制限がない。簡略に説明するため桁数ｎ＝４にする。【００４５】
ユニット31の固有の番号をP-1001、P-1100、P-1011、P-1101にし、ユニット21の固有の番号をM-0ZZZ、M-0Z11、M-00Z0、M-0ZZ1にして説明する。【００４６】
図３の22と32の接続に関し、右側から順に説明する。【００４７】
最も右は、M-0ZZ1とP-1101の接続であり新ノードアドレスはQ-0101であり、Q-0101=[M-0ZZ1 choice P-1101] の表記になる。【００４８】
同様に２番目は、Q-0010=[M-00Z0 choice P-1011] になる。【００４９】
同様に３番目は、Q-0111=[M-0Z11 choice P-1100] になる。【００５０】
最も左は、M-0ZZZとP-1001が接続されていない状態である。すなわち、この状態は図１であれば電路11がすべて切断されている状態である。もし、M-0ZZZとP-1001が接続されているとしても、Ｍｉが３ステートバッファで製作されているため、Q-1001=[M-ZZZZ choice P-1001] になる。【００５１】
すなわち、ユニット21の番号が全桁で"Z"であるM-ZZZZであれば、21と31の接続有無にかかわらず、必ず、新ノードアドレスはデータ転送ユニット31と同じになる。よって、21と31の接続有無を知らせる接続判別ビットを、アドレスを構成する任意の桁に設ける。図３では、接続判別ビットを最上位桁にする。【００５２】
最も左側の21について最上位桁を“0”に固定させM-0ZZZにし、最も左側の31については21と同じ桁を“1”に固定させP-1001にした。このように接続判別ビットを使えば、Q-0001=[M-0ZZZ choice P-1001]になるため、Q-0001とQ-1001の違いにより、ユニット21と31の接続の有無判断が可能になる。【００５３】
第２段階の発明の主要部分は、１ビットに関する合致判断基準である。【００５４】
宛先アドレスTが“1”で受信ノードアドレスQが“1”ならば合致とし、
宛先アドレスTが“0”で受信ノードアドレスQが“0”ならば合致とし、
宛先アドレスTが“Z”ならば合致とする。【００５５】
上記の判断を sign=[Q mask T] にて表記させ、以後の説明を簡素にする。【００５６】
[Q mask T] によって、“機材未接続で通過”“合致”“非合致”の３種類の判断結果が得られ、sign は各々“PASS”“EQU”“NEQ”にて表現させる。【００５７】
“PASS”は、前掲の受信ノードアドレスQにおける接続判別ビットの値が“1”の場合である。受信ノードアドレスQにおける接続判別ビットの値が“0”の場合は、受信ノードアドレスQに対し宛先アドレスTの“Z”が記載されている桁をマスクして宛先アドレスTと全桁で合致しているならば“EQU”にし、一部の桁でも非合致であれば“NEQ”にする。図３にて例を挙げて説明する。【００５８】
宛先アドレスT-0ZZ1がデータ転送ユニットP-1001にアクセスすると、P-1001は、Q-1001の接続判別ビットの値が“1”なので“PASS”と判定する。【００５９】
宛先アドレスT-0ZZ1がデータ転送ユニットP-1100にアクセスすると、P-1100は、Q-0111をT-0ZZ1の“Z”でマスクさせてQ-0ZZ1を作成した後で、T-0ZZ1と全桁合致を調べ“EQU”と判定する。なお、“EQU”と判定したP-1100は、宛先アドレスT-0ZZ1のメッセージをM-0Z11へ転送する。【００６０】
宛先アドレスT-0ZZ1がデータ転送ユニットP-1011にアクセスすると、P-1011は、Q-0010をT-0ZZ1の“Z”でマスクさせてQ-0ZZ0を作成した後で、T-0ZZ1と全桁合致を調べ“NEQ”と判定する。【００６１】
宛先アドレスT-0ZZ1がデータ転送ユニットP-1101にアクセスすると、P-1101は、Q-0101をT-0ZZ1の“Z”でマスクさせてQ-0ZZ1を作成した後で、T-0ZZ1と全桁合致を調べ“EQU”と判定する。なお、“EQU”と判定したP-1101は、宛先アドレスT-0ZZ1のメッセージをM-0ZZ1へ転送する。【００６２】
本発明を取り入れたホームネットワークシステムの利点を述べる。【００６３】
居間・台所・寝室・風呂の４室で構成された家庭では、設置するデータ転送ユニット31の代表場所番号を001, 011, 101, 111のように１桁目を“1”にして各々付与する。更に多くの壁ソケット32が必要な場合は、000, 010, 100, 110のように１桁目を“0”にして各々付与する。もし、寝室に３個の壁ソケットがあれば、最上位桁を接続判別ビットにしたため“P-1”を付けて４桁にし、P-1101, P-1100, P-1100にし、２種類のデータ転送ユニットアドレスにする。【００６４】
家電品や住宅設備機器などの機材として、電灯番号ZZ1と扇風機番号ZZ0を挙げる。電灯器具や扇風機のメーカは、最上位桁を接続判別ビットにしたため“M-0”を付けて４桁して、M-0ZZ1やM-0ZZ0を製品アドレスにして販売する。【００６５】
上記４部屋を有するユーザが電灯器具を購入して、各部屋の壁ソケットに挿し込んだならば、Q=[M choice P]により、居間・台所・寝室・風呂における電灯ノードアドレスは各々Q-0001、Q-0011、Q-0101、Q-0111になり、扇風機の各々の部屋におけるノードアドレスは各々Q-0000、Q-0010、Q-0100、Q-0110になる。【００６６】
すなわち、寝室の３個の壁ソケットP-1101、P-1100、P-1100の任意の場所に、電灯M-0ZZ1を挿し込めばQ-0101が得られ、扇風機M-0ZZ1を挿し込めばQ-0100が得られる。このようにメーカは同一製品の製造であっても、各家において必要な場所の壁ソケットに挿し込むことで、有益なアドレスが自動的に付与される。
【産業上の利用可能性】
【００６７】
本発明の最大の効果は、コンピュータなどの機材に与えられているＭＡＣアドレス体系およびＩＳＤＮなどの端末接続線に電話番号などが振られているソケットアドレス体系を一つのアドレス体系に集約できたことである。【００６８】
背景技術に記載したIEEE802.3は、ＭＡＣアドレス体系の基本的なネットワークに利用されている。したがって、本発明の３ステートアドレスを利用するネットワークとして、国際公開特許WO01/11829「トークンによる調停回路を有するコンピュータ用ネットワーク（日本国特許3610559）」の利用を想定した。【００６９】
WO03/092221「ネットワークのセキュリテイ機構」は、WO01/11829を基礎にするだけでなく、アドレス数に上限のないWO96/31968「転送識別と調停機構を有するコンピュータ用ネットワーク（日本国特許3338059）」も基礎に利用している。本発明は、これら従来のネットワークアドレスに関する利用形態に影響が及ばいことを、図４のワイドエリアネットワークを例にして説明する。【００７０】
図４において、破線で囲まれたＬＡＮ61は図３のローカルエリアネットワークであり、データ転送ユニットが直接把握しているアドレスを記載した。また、破線で囲まれたＬＡＮ71、ＬＡＮ72およびＬＡＮ81は、適当なアドレスが与えられたデータ転送ユニットやノードで構築されている。【００７１】
前掲の公開特許によれば、ＬＡＮ同士の接続は下層ＬＡＮ内における最大アドレス値を持つユニットが上層ＬＡＮに属する任意のユニットに繋げることで、階層接続が完成する。これらの接続するユニットは、ＬＡＮ内で同一アドレスの存在を排除する第１桁目が“1”であるユニークなアドレスを持ったノード同士にする。すなわち、ＬＡＮ71のP-1111と61のP-1001の接続、ＬＡＮ72のP-1111と61のP-1011の接続、ＬＡＮ81のP-1111と72のP-1001の接続である。【００７２】
前掲の公開特許によれば、最初の送信メッセージは次のフレームに収められる。【００７３】
[コード，LAN出口，…，LAN出口，宛先，送信元][データ部]【００７４】
上記フレームの各アドレスは、ＬＡＮを移動する毎にローティトされる。【００７５】
以上の既存ネットワークに本発明を適用させても利用可能なことを述べる。【００７６】
図４において、71内のユーザ機材ユニットQ-0110が72内のQ-0100にメッセージを送信する例を挙げて述べる。【００７７】
メッセージが転送されるルートは、一つのＬＡＮ内を括弧で括ったならば、
[Q-0110⇒P-1010⇒P-1111]⇒[P-1001⇒P-1011]⇒[P-1111⇒P-1110⇒Q-0100]
である。従来のメッセージフレームの作成方法に当て嵌めると、
71の出口はP-1111、61の出口はP-1011、72の宛先はQ-0100 になる。【００７８】
本発明においては、宛先をQ-0100ではなくT-0100にする。なぜならば、宛先に“Z”を含む３ステートの宛先が指定できるからである。なお、宛先アドレスに従来のQ-0100を使用しているか、あるいは本発明のT-0100を使用しているかを明確に区別する方法は、コード内に判断ビットを設けることである。【００７９】
したがって、71のQ-0110は、コードTに各ＬＡＮの出口アドレスを用いて、
[コードT，P-1111，P-1011，T-0100，Q-0110][データ部] をP-1010に渡す。【００８０】
P-1010はコードの次がP-1111で自己宛と異なるのでP-1111に送る。【００８１】
71のP-1111はコードの次がP-1111と同じなのでＷＡＮ伝送路に送出する。【００８２】
61のP-1001はＷＡＮ伝送路から受け取ったのでローティトさせたフレーム
[コードT，P-1011，T-0100，P-1001，Q-0110][データ部] をP-1011に送る。【００８３】
P-1011はコードの次がP-1011と同じなのでＷＡＮ伝送路に送出する。【００８４】
72のP-1111はＷＡＮ伝送路から受け取ったのでローティトさせたフレーム
[コードT，T-0100，P-1111，P-1001，Q-0110][データ部] をＬＡＮに流す。【００８５】
72のデータ転送ユニットP-1111は[Q-1111 mask T-0100]=PASSと判断する。【００８６】
72のデータ転送ユニットP-1001は[Q-0001 mask T-0100]=NEQと判断する。【００８７】
72のデータ転送ユニットP-1110は[Q-0100 mask T-0100]=EQUと判断し、ユーザ機材ユニットにメッセージを転送する。【００８８】
上記のメッセージフレーム変遷において、新ノードアドレスを使用したネットワークは、送信元Q-0110がフレームを作成したＬＡＮ71、及び宛先T-0100を利用したＬＡＮ72である。このことは、中継ＬＡＮ61である図３において、様々なユーザ機材ユニット21をデータ転送ユニット31に接続して新ノードアドレスを作成しても、中継機能を担うＬＡＮであるならば、メッセージフレームに一切の影響を及ぼさないことを意味する。【００８９】
更に、ＷＡＮを構築するためのＬＡＮ同士の接続をする場合に、ＬＡＮ内におけるアドレスのユニーク性を確保するために、発明を実施するための最良の形態にて、寝室に３個の壁ソケットを設置するアドレスとして、P-1101, P-1100, P-1100にし、第１桁目を“1”にした。このことを明確にするため、図４において61のP-1101及び81のP-1001に短いＷＡＮ伝送路を記載した。【００９０】
転送ユニットにアクセスする場合は、宛先アドレスT-1xxxにすることで実現できる。判断方法は[Q mask T]が“PASS”の場合にsign=[P mask T]で判断する。【００９１】
また、宛先アドレスに“Z”が含まれている複数のデータ転送ユニットが各々返送処理をしても、正しく返送される。例として、71の送信元Q-0110が72の複数の機材を示す宛先アドレスT-0Z0Zにした場合を挙げて説明する。【００９２】
71のQ-0110は、前例のようにして宛先T-0Z0Zのフレーム
[コードT，P-1111，P-1011，T-0Z0Z，Q-0110][データ部] をP-1010に渡す。【００９３】
このフレームは、71や61を通過して、72のP-1111に転送される。【００９４】
72のP-1111はＷＡＮ伝送路から受け取ったのでローティトさせたフレーム
[コードT，T-0Z0Z，P-1111，P-1001，Q-0110][データ部] をＬＡＮに流す。【００９５】
72のP-1111は[Q-1111 mask T-0Z0Z]=PASSと判断する。【００９６】
72のP-1001は[Q-0001 mask T-0Z0Z]=EQUと判断し、メッセージを自己の接続されているユーザ機材ユニットに送る。Q-0001は、受信フレームに記載されている全部のアドレスを左シフトし自己アドレスを記入した返送のフレーム
[コード，P-1111，P-1001，Q-0110，Q-0001][返送データ部] を作成する。このフレームは、従来の特定宛先に送信する形式である。【００９７】
同様に、72のQ-1101は、返送のフレーム
[コード，P-1111，P-1001，Q-0110，Q-0100][返送データ部] を作成する。このフレームは、従来の特定宛先に送信する形式である。
【図１】
2007010606.tif 000002
【図２】
2007010606.tif 000003
【図３】
2007010606.tif 000004
【図４】
2007010606.tif 000005
【国際調査報告】
2007010606.tif 000006
2007010606.tif 000007